(57)【要約】      （修正有）【課題】充分なネット張力を得ることができ、しかもポールに張力を増す装置を備える必要のない球技用ネット引張り器具を提供する。【解決手段】ロープ固定部２と、ロープ固定部と引張り器具本体１６とを接続する接続部材３と、２枚の板状部材５、２枚の板状部材に固定され接続部材を保持する保持部、および２枚の板状部材の間にあって両端部が２枚の板状部材のそれぞれに固定される円筒部材６からなるロープ引張り器具本体と、一端にポール係合部７Ｐが、他端に握り部が形成され、２枚の板状部材の間を通って円筒部材の保持部側に掛け渡される可撓性のある長尺体からなるアジャスター部材７と、円筒部材との間でアジャスター部材を挟む挟み部を有し、挟み部がアジャスター部材を握り部側から挟むように、引張り器具本体に揺動自在に軸支されるストッパー８と、挟み部を円筒部材に押し付ける方向に、ストッパーを付勢する部材とからなることを特徴とする。【選択図】図２
0003108910.tif 000002
【実用新案登録請求の範囲】
【請求項１】
床面に立てられた２本のポールの間に球技用ネットを張るロープを引っ張るための器具であって、
（ａ）前記ロープの一方の端部が固定されるロープ固定部と、
（ｂ）該ロープ固定部と引張り器具本体とを接続する接続部材と、
（ｃ）２枚の板状部材、
前記２枚の板状部材に固定され前記接続部材を保持する保持部、および
前記２枚の板状部材の間にあって、両端部が前記２枚の板状部材のそれぞれに固定される円筒部材からなるロープ引張り器具本体と、
（ｄ）一方の端に前記ポールに係合するポール係合部が形成され、
他方の端に人が握って引くことのできる握り部が形成され、
前記２枚の板状部材の間を通って、前記円筒部材の前記保持部側に掛け渡される可撓性のある長尺体からなるアジャスター部材と、
（ｅ）前記円筒部材との間で、前記アジャスター部材を挟む挟み部を有し、
前記挟み部が前記アジャスター部材を前記握り部側から挟むように、前記引張り器具本体に揺動自在に軸支されるストッパーと、
（ｆ）前記ストッパーの挟み部を前記円筒部材に押し付けるように、前記ストッパーを付勢する付勢部材と
からなる球技用ネット引張り器具。
【請求項２】
床面に立てられた２本のポールの間に球技用ネットを張るロープを引っ張るための器具であって、
（ａ）２枚の板状部材、
前記２枚の板状部材に固定されて前記ロープの一方の端部が固定されるロープ固定部、および
前記２枚の板状部材の間にあって、両端部が前記２枚の板状部材のそれぞれに固定される円筒部材からなるロープ引張り器具本体と、
（ｂ）一方の端に前記ポールに係合するポール係合部が形成され、
他方の端に人が握って引くことのできる握り部が形成され、
前記２枚の板状部材の間を通って、前記円筒部材の前記保持部側に掛け渡される可撓性のある長尺体からなるアジャスター部材と、
（ｃ）前記円筒部材との間で、前記アジャスター部材を挟む挟み部を有し、
（ｄ）前記挟み部が前記アジャスター部材を前記握り部側から挟むように、前記引張り器具本体に揺動自在に軸支されるストッパーと、
（ｅ）前記ストッパーの挟み部を前記円筒部材に押し付けるように、前記ストッパーを付勢する付勢部材と
からなる球技用ネット引張り器具。
【請求項３】
前記アジャスター部材がベルトからなる請求項１または２記載の球技用ネット引張り器具。
【請求項４】
前記球技用ネットが、ソフトバレーボール用ネット、バドミントン用ネットまたはインディアカ用ネットである請求項１または２記載の球技用ネット引張り器具。
【考案の詳細な説明】
【技術分野】
【０００１】
本考案は球技用のネットを２本のポールの間に張るために、ネットを引っ張るための器具に関する。
【背景技術】
【０００２】
ネットを挟んで行なう球技、たとえばバレーボール、バドミントン、ソフトバレーボール、インディアカなどでは、床面に立てた２本のポールの間にネットを張って、競技が行なわれる。競技を行なう体育館などは多目的につくられており、ある種の競技の専用として常時ネットを張っておくわけではない。また、専用の競技場であっても、ネットを常に張っておくと、ネットの上部に通されるワイヤーまたはひもが伸びて緩んでしまう。したがって、競技を行なうごとにネットを張る必要がある。たとえばテニス、バレーボールなどの張力の大きなネットでは、ネットを張るための引張り力を得るために、ワイヤーを巻くドラムと、そのドラムを回すクランク、あるいはさらに歯車を組み合わせた装置が用いられている。一方、卓球やバドミントンでは２本のポールの間隔が狭く、また競技に使用されるボールまたはシャトルコックが軽く、ネットの張力は大きな力を必要としないので、ネットを張る力を増す装置を必要としない。
【０００３】
それに対して、ソフトバレーボールでは、ある程度のネット張力を必要とするが、ポールの間隔がバレーボールやテニスほど大きくなく、それほどの張力を必要としないので、ネット引張り力増す装置をポールに備えていない。しかし、ソフトバレーボールはネットに当たったボールが適度にリバウンドする必要があり、力の弱い女性や子供ではネットを張る力が充分でなく、競技を行なうために、男性の力を借りる必要があった。
【考案の開示】
【考案が解決しようとする課題】
【０００４】
従来のソフトバレーボールの器具では、ネットを張るための張力を増す装置がなく、力の弱い者だけでは、充分な張力でネットを張ることができなかった。また、たとえばバレーボールなどの張力を増す装置をポールに備えると、ポールそのものが重くなってしまい、力の弱い者だけで競技を行なう場合には不便である。
【０００５】
本考案は、充分なネット張力を得ることができ、しかもポールに張力を増す装置を備える必要のない球技用ネット引張り器具を提供することを目的とする。
【課題を解決するための手段】
【０００６】
本考案の球技用ネット引っ張り器具は、床面に立てられた２本のポールの間にネットを張るロープを引っ張るための器具であって、
（ａ）前記ロープの一方の端部が固定されるロープ固定部と、
（ｂ）該ロープ固定部と引張り器具本体とを接続する接続部材と、
（ｃ）２枚の板状部材、
前記２枚の板状部材に固定され前記接続部材を保持する保持部、および
前記２枚の板状部材の間にあって、両端部が前記２枚の板状部材のそれぞれに固定される円筒部材からなるロープ引張り器具本体と、
（ｄ）一方の端に前記ポールに係合するポール係合部が形成され、
他方の端に人が握って引くことのできる握り部が形成され、
前記２枚の板状部材の間を通って、前記円筒部材の前記保持部側に掛け渡される可撓性のある長尺体からなるアジャスター部材と、
（ｅ）前記円筒部材との間で、前記アジャスター部材を挟む挟み部を有し、
前記挟み部が前記アジャスター部材を前記握り部側から挟むように、前記引張り器具本体に揺動自在に軸支されるストッパーと、
（ｆ）前記ストッパーの挟み部を前記円筒部材に押し付けるように、前記ストッパーを付勢する付勢部材と
からなることを特徴とする。
【０００７】
また、本考案の球技用ネット引張り器具は、床面に立てられた２本のポールの間に球技用ネットを張るロープを引っ張るための器具であって、
（ａ）２枚の板状部材、
前記２枚の板状部材に固定されて前記ロープの一方の端部が固定されるロープ固定部、および
前記２枚の板状部材の間にあって、両端部が前記２枚の板状部材のそれぞれに固定される円筒部材からなるロープ引張り器具本体と、
（ｂ）一方の端に前記ポールに係合するポール係合部が形成され、
他方の端に人が握って引くことのできる握り部が形成され、
前記２枚の板状部材の間を通って、前記円筒部材の前記保持部側に掛け渡される可撓性のある長尺体からなるアジャスター部材と、
（ｃ）前記円筒部材との間で、前記アジャスター部材を挟む挟み部を有し、
（ｄ）前記挟み部が前記アジャスター部材を前記握り部側から挟むように、前記引張り器具本体に揺動自在に軸支されるストッパーと、
（ｅ）前記ストッパーの挟み部を前記円筒部材に押し付けるように、前記ストッパーを付勢する付勢部材と
からなることを特徴とする。
【０００８】
本考案の球技用ネット引張り器具は、前記アジャスター部材がベルトからなることが好ましい。
【０００９】
本考案の球技用ネット引張り器具は、特にソフトバレーボール用ネット、バドミントン用ネットまたはインディアカ用ネットに用いられることを特徴とする。
【考案の効果】
【００１０】
本考案の球技用ネット引張り器具は、ネットを引っ張る力を約１／２に軽減するので、力の弱い者でも必要な張力で球技用ネットを張ることができる。また、ポールに付属するネット引張り力を増す装置を必要としないので、ポールが重くなることがなく取り扱いが簡便であり、従来のポールをそのまま使用することができる。
【考案を実施するための最良の形態】
【００１１】
以下、図を参照して本考案の一実施の形態について詳細に説明する。
【００１２】
図１は、本考案の一実施の形態にかかわる球技用ネット引張り器具１（以下、ネット引張り器具という）を使用して、ソフトバレーボール用ネットを張った状態を示す正面図である。図２は本考案の一実施の形態にかかわるネット引張り器具１の全体を示す斜視図である。図３は、図２に示すネット引張り器具１の要部を正面側から見た斜視図である。図４は、図２に示すネット引張り器具１の要部を背面側から見た斜視図である。
【００１３】
図１に示すように、床面（図示せず）に立てられた２本のポールＰの間に、球技用ネットＮが張られる。球技用ネットＮの上部の筒状の部分にロープＲが通してあり、ロープＲをポールの上端にかけて、ロープＲの一方の端をポールＰのフックＰｈに結び、他方の端を本考案のネット引っ張り器具１で引っ張って、球技用ネットＮが張られる。球技用ネットＮ全体が弛まないように、球技用ネットＮ側面のサイドロープＳがポールＰに結びつけられる。
【００１４】
つぎに、図２〜４を参照して、本考案の一実施の形態にかかわるネット引張り器具１の構造を説明する。
【００１５】
ロープＰの一方の端が固定されるロープ固定部２は、Ｄ字型の環状部材に接続部材３であるベルトを通して折り返し、折り返したベルトの端をベルトの中間に縫い合わせて、接続部材３に固定されている。接続部材３の他方の端は、ロープ固定部２と同じようにベルトの端を折り返して縫い合わせることによって、ネット引っ張り器具本体１ｂに形成された保持部４に固定されている。
【００１６】
ネット引張り器具本体１ｂは、２枚の板状部材５と、その２枚の板状部材５に固定される保持部４と、前記２枚の板状部材５の間にあって、両端部が前記２枚の板状部材５のそれぞれに固定される円筒部材６とからなる。
【００１７】
そして、一方の端にロープ固定部２と同じようにポールに係合するポール係合部７ｐが形成されたアジャスター部材７が、ネット引張り器具本体１ｂの２枚の板状部材５の間を通って、円筒部材６の保持部４側に掛け渡されている。本実施の形態では、アジャスター部材７として可撓性のあるベルトを用いる。アジャスター部材７のポール係合部７ｐが形成されていない端には、折り返したベルトの端をベルトの中間に縫い合わせて、環状の握り部７ｇを形成し、握りやすいようにしている。
【００１８】
ネット引っ張り器具本体１ｂには、２枚の板状部材５に固定された軸８ａに揺動自在にストッパー８が支持されている。ストッパー８は、円筒部材６との間で、アジャスター部材７を挟む挟み部８ｂを有し、挟み部８ｂがアジャスター部材７をその握り部７ｇ側から挟むように、ネット引張り器具本体１ｂに揺動自在に軸支されている。そして、ストッパー８の挟み部８ｂを円筒部材６に押し付けるように、ストッパー８を付勢する付勢部材９が設けられている（図４参照）。本実施の形態では、付勢部材９としてねじりコイルばねがストッパー８を支持する軸８ａに取り付けられている。
【００１９】
つぎに、本考案の実施の形態にかかわるネット引張り器具１の作用を説明する。図５は、図２に示すネット引張り器具１の作用を示す断面図である。
【００２０】
ネット引張り器具１の一端に形成されたロープ固定部２に、ロープＲの端が結びつけられる。ネット引張り器具１のアジャスター部材７の一端に形成されたポール係合部７ｐが、ポールＰに形成されたフックＰｈに係合され、アジャスター部材７の他方の端に形成された握り部７ｇを引くことによって、ロープＲが引っ張られて球技用ネットＮが張られる。
【００２１】
アジャスター部材７の他方の端に形成された握り部７ｇを引くと、ネット引張り器具１の円筒部材６の外周をベルトが滑って、円筒部材６とポール係合部７ｐの間が短くなり、ロープの端に固定された接続部材３が引かれて、ロープが引っ張られる。そして、ストッパー８の挟み部８ｂが円筒部材６との間で、アジャスター部材７をアジャスター部材７の握り部７ｇ側から挟むので、挟み部８ｂが戻ろうとするアジャスター部材７に引き込まれて食い込み、アジャスター部材７がロープの張力によって戻ろうとする動きを止めて、ネット引張り器具１はロープを引っ張った状態で固定される。このとき、ロープの張力はアジャスター部材７のポール係合部７ｐ側と、握り部７ｇ側の２方向の張力の合力とつりあう。すなわち、ロープの張力はアジャスター部材７のポール係合部７ｐ側と、握り部７ｇ側の２方向に分解される。つまり、円筒部材６が動滑車のように働き、アジャスター部材７の握り部７ｇを引く力は、ロープの張力の約１／２になる。
【００２２】
その結果、アジャスター部材７の握り部７ｇを引く長さは、ロープＰを引く長さの約２倍になるが、アジャスター部材７の握り部７ｇを引く力は、ロープＰの張力の約１／２になり、力の弱い者でもネットＮを張るのに必要な張力でロープを引っ張ることができる。
【００２３】
本実施の形態では、ネット引張り器具本体１ｂとロープ固定部２とを接続する接続部材３を設けたが、接続部材３およびロープ固定部２を省略して、保持部４をロープ固定部２として直接ロープＰを結びつけるようにしてもよい。その場合、ロープＰを引っ張る方向に対してネット引張り器具本体１ｂの向きが傾かないように、保持部４の幅をロープＰの太さ程度にするか、保持部材の中央に角をつけてロープＰが中央に固定されるようにするとよい。
【００２４】
また、本実施の形態では、円筒部材６がネット引張り器具本体１ｂに固定されているが、円筒部材６を、アジャスター部材７を握り部７ｇ側に引く方向にのみ回転するように支持してもよい。たとえば、ラチェット機構、または一方向クラッチを使用して、アジャスター部材７を握り部７ｇ側に引くときに、円筒部材６がアジャスター部材７とともに回転するように構成してもよい。この場合でも円筒部材６はアジャスター部材７が緩む方向には回転しないので、ストッパー８と円筒部材６とによって、アジャスター部材７が挟まれてロープＰが引っ張られた状態を保持する。このようにすると、アジャスター部材７と円筒部材６との滑り摩擦が、円筒部材６の転がり抵抗に軽減されるので、その分引張り力が軽減される。
【００２５】
さらに、本実施の形態では、アジャスター部材７としてベルトを用いたが、アジャスター部材７としてはベルトに限らず、ロープやチェーンなどを使用してもよい。
【００２６】
なお、本実施の形態では、球技用ネットとしてソフトバレーボール用ネットを想定したが、本考案のネット引っ張り器具１はソフトバレーボール用ネットに限定されるものではなく、バドミントン用ネットやインディアカ用ネットにも同じように適用することができる。
【図面の簡単な説明】
【００２７】
【図１】本考案の実施の形態にかかわるネット引張り器具を使用して、球技用ネットを張った状態を示す正面図である。
【図２】本考案の実施の形態にかかわるネット引張り器具の全体を示す斜視図である。
【図３】図２に示すネット引張り器具の要部を示す正面側斜視図である。
【図４】図２に示すネット引張り器具の要部を示す背面側斜視図である。
【図５】図２に示すネット引張り器具の断面図である。
【符号の説明】
【００２８】
１    球技用ネット引張り器具
１ｂ  ネット引っ張り器具本体
２    ロープ固定部
３    接続部材
４    保持部
５    板状部材
６    円筒部材
７    アジャスター部材
７ｐ  ポール係合部
７ｇ  握り部
８    ストッパー
８ａ  軸
８ｂ  挟み部
９    付勢部材
Ｎ    ネット
Ｐ    ポール
Ｐｈ    フック
Ｒ    ロープ
Ｓ    サイドロープ
【図１】
0003108910.tif 000003
【図２】
0003108910.tif 000004
【図３】
0003108910.tif 000005
【図４】
0003108910.tif 000006
【図５】
0003108910.tif 000007